(57)【要約】      （修正有）【課題】強力な推力が得られる推進機を提供する。【解決手段】大型フライホイルと、大型フライホイル上に対向方向に設置された円形Ｕ曲がりリング留め金によって、おのおのＵ底部で取り付けられた円形Ｕ曲がりリングと、リング上に上部から見て、等しい角度に６ヶ所配置されたジャイロ独楽軸バーとを備える。ジャイロ独楽軸バーは大型フライホイル上の中心部分に設置された大型モーター軸に、星型フランジ駆動ホルダーとヒンジとで取り付けられる。【選択図】図１
0003158488.tif 000002
【実用新案登録請求の範囲】
【請求項１】
大型フライホイルと、該大型フライホイル上に対向方向に設置された円形U曲がりリング留め金によって、おのおのU底部で取り付けられた円形U曲がりリングと、そのリング上に上部から見て,等しい角度に６ヶ所配置されたジャイロ独楽軸バーと、該ジャイロ独楽軸バーは該大型フライホイル上の中心部分に設置された大型モーター軸に、星型フランジ駆動ホルダーとヒンジとで取り付けられたことを特徴とする推進機。
【請求項２】
前記円形U曲がりリングが６０度U型に曲がったリングであることを特徴とする請求項１記載の推進機。
【考案の詳細な説明】
【技術分野】
【０００１】
本考案は昇降機を内臓したフレーム外側に本推進機を組み付けて何段も重ねて上空に伸ばして物体を宇宙などに往復搬送に関するものである。
【背景技術】
【０００２】
これまでは宇宙へはガス噴出ロケットだけです。  先行特許文献には
【特許文献１】特許公開２００３−３９４６  星野  昌文
【特許文献２】特開２００４−３３２７０２  長谷  保宏ありますが遠心力、ジャイ    ロスコープの原理を応用していますが構造が全く違います、東京大学宇宙工学部でエ    レベーターシステムをＮＨＫテレビで聞き、ネットでアクセスするがフレームの強度    がネックとなり出来ないので、本推進機で補完する事が出来る。
【考案の開示】
【考案が解決しようとする課題】
【０００３】
従来のロケット推進では宇宙搬送には施設、資金が莫大となる。
本推進器は遠心力、プレセッションを利用して推進力を発生させてフレームに内臓した昇
降機、推進機と組み合わせ恒常的に宇宙へ搬送する事が課題である。
【課題を解決するための手段】
【０００４】
本考案は上記目的を達成する為、下記の手段、構成で解決させる、
鉄丸棒を円形リングにしたものを水平に置き、円形リングを蝶の羽のようにＵ状に二つ折
れに、曲げて、上が広がったＵ型にする、Ｕ型の内角は１２０度にする、円形Ｕ曲がりリ
ングのＵ型底両端は留め金１１、で大型フライホイル９、の円の淵に取り付け固定する。
【０００５】
大型フライホイル９、はフレーム７、に取り付け軸先に大型フライホイル９、を嵌入し、
大型フライホイル９、のセンターに大型モーター１、を取り付け固定し軸先にには、フラ
ンジ駆動ホルダー８、を嵌入する。
【０００６】
フランジ駆動ホルダー８、には角型棒バー５、の６本をピンで放射状に取り付ける、角型
棒バー５、の先端には小型モーター６、を取り付ける。
【０００７】
小型モーター６、の軸先には小型フライホイル２、を嵌入する、小型フライホイル２、の
カバー先端軸に、角金板１２、を嵌め更に長いボールベアリング４も嵌めこみ、角金板１
２、に二つ目の長いボールベアリング４、を取り付け固定して円形Ｕ曲がりリング３、を
挟んで取り付ける。
【０００８】
小型フライホイル２、を上段左周りで２０００回転で自転させ  その小型フライホイル２
、が円形Ｕ曲がリング３、に沿ってガイドされ２００回転で公転させて更に大型フライホ
イル９、を１００回転で全体回転するようにする。
【０００９】
小型フライホイル２、が右半円２個と左半円２個での、上６０度方向の遠心力の合力で推
進力を発生させる、円形Ｕ曲がりリング３、のＵ型曲がりの底部位置で小型フライホイル
２、の自転、公転で円周接線の直角方向にプレセッションの力で方向転換する、と同時に
大型フライホイル９、の全体回転でも小型フライホイル２、のプレセッションで揚力が発
生し下接線方向への力が減殺される、上段下段の回転方向はすべて逆回転とし反作用など
相殺してバランスをとらせる、以上の手段を講じた推進機である。
【００１０】
請求項２の推進機は円形Ｕ曲がりリング３、を平鉄にし、そこに電磁石のリニアモーター
駆動コイル１４、を貼り付け磁石ホルダー１３、が円形Ｕ曲がりリング３、に沿ってスラ
イドするようにして、公転２００回転させる磁石ホルダー１３、には小型モーター６、と
小型フライホイル２、を取り付ければ、請求項１と同じ効果の推進機である。
【考案の効果】
【００１１】
ロ字型の四角形立法体のフレームにして何段も積み上げ四角形の中にエレベターを組み込
み本推進機又は電磁誘導駆動式かギヤーとスピンドルギヤーなどの組み合わせによってエ
レベーターを昇降させる事が出来る、本推進機を何箇所もフレームの外側に取り付けフレ
ームを常に上方に推進力を働かせてフレームの重力を軽減上空に固定安定させる事が出来
て、宇宙にも往復搬送が常時可能となる効果がある、動力は電力で賄う。
又宇宙でのソーラーシステムなどで電力を地上に送電出来る期待ががもてるまた小型フラ
イホイル２、の回転中心点移動が推進機移動距離より遅ければ昇降機やヘリコプターなど
に応用できる、効果のある推進機である。
【考案を実施するための最良の形態】
【００１２】
小型モーター６、で小型フライホイル２、の直径２００ミリ厚さ３３ミリの中刳りで重さ
約４，５キロを回転数２０００回転させる。
【００１３】
円形Ｕ曲がりリング３、の太さ２０ミリにして円形の直径約９４０ミリです
円形内径は９００ミリです、実際はＵ曲がり分だけ楕円状となる
【００１４】
フランジ駆動ホルダー８、に付けた角型棒バー５、６本の公転数は２００回転です。
【００１５】
大型モーター１、の軸先にはフランジ駆動ホルダー８、を嵌入している、
角型バー５、の長さはフランジ駆動ホルダー８、軸中心から長いローラーベアリング４、
先端まで５５０ミリです。
【００１６】
超大型モーター１０、をフレーム７、に取り付けて、軸先には大型フライホイル９、を嵌
入して１００回転させる、大型フライホイル９、の中心に大型モーター１、を乗せて固定
する。
【００１７】
超大型モーター１０、大型モーター１、小型モーター６、共に上段側左回転下段側右回転
として上下段の回転反作用のバランスをとる。
【００１８】
手作り試作では小型モーター６、は自動車のワイパーモーターを使用、小型フライホイル
２、は２個だけで自転約５００回転と、大型モーター１、は２００Ｖ、０．７５ＫＷ可変
型を使用、公転は約６０回転で、大型フライホイル９、１００回転は使用しなかったが、
横向きスライド方式にして実験した結果推進力は約１キログラムで高速回転は危険で出来
なかった。
実用化には超大型モーター、大型モーター、小型モーター、円形Ｕ曲がりリング、フレー
整理番号:P-2007-06 特願2007-157084   (Proof) 提出日:平成19年 6月14日 3/E
ム、角型棒バー、など構造、大きさ共に増強して強力な推力を得るようにする、なお図面
には補強材は表示していない。
【００１９】
試算では総推進力は約１１４４キロです、計算式は下記又は図４で説明する。
瞬間時、推進力  計算式
重量×半径×回転数？＝遠心力
4,5kg×0,45ｍ×200回転＝405kg
遠心力×小ベクトル係数＝左方小ベクトル遠心力
405kg×166%＝左672kg           （ベクトル図面で算出166％）
左小ベクトル遠心力×大ベクトル係数＝総遠心力
672kg×        0%     ＝672kg   （ベクトル図面で算出０％）
推定プレセッション揚力×２箇所＝推定プレセッション全揚力
（遠心力の半分）   202.5ｋ×２＝405kg  (大型フライホイルの全体左回転100回転の分)
推定−接線下方向遠心力×２箇所＝−接線全下方向推進力        一段目推定自重
（遠心力の半分)  202.5kg×2＝  405kg                  100 kg    
推定-接線全下方向推進力＋推定自重＝全マイナス推進力
405kg＋  100kg  ＝505kg                
（総遠心力＋推定プレセッション揚力）−（−推定接線下方向推進力＋推定自重）＝上段
推進力
（672kg＋405kg）−（  −405kg          ＋100kg  ）＝  572kg
（上段側）572kg＋（下段側）572kg＝1144kg（総推進力）
理科の先生に計算して貰うと405kgが88.5kgとでる166％掛けると146.9kgで自重より大き
い。
【図面の簡単な説明】
【００２０】
【図１】本考案の斜視図である
【図２】本考案の「請求項２」の推進機
【図３】図１の一部横、断面図
【図４】瞬間時の推力計算図
【符号の説明】
【００２１】
１、大型モーター            ９、大型フライホイル              
２、小型フライホイル      １０、超大型モーター
３、円形Ｕ曲がりリング    １１、円形Ｕ曲がりリング留め金    
４、長いローラーベアリング１２、角金板
５、角型棒バー            
６、小型モーター          １３、磁石ホルダー（図２）  
７、フレーム            １４、リニアモーター駆動コイル（図２）
８、フランジ駆動ホルダー    
__
【図１】
0003158488.tif 000003
【図２】
0003158488.tif 000004
【図３】
0003158488.tif 000005
【図４】
0003158488.tif 000006